(57)【要約】【課題】洗浄液を適切に洗浄布に供給する洗浄装置を提供する。【解決手段】洗浄液供給機構３０は、洗浄液タンク３２と、洗浄液タンク３２から洗浄液３１を取り出す洗浄液取出ライン３３と、入口部３４ａ、吐出側出口部３４ｂおよびタンク側出口部３４ｃを含む流路切換機構３４と、洗浄液吐出ライン３５と、洗浄液戻りライン３６と、流路切換機構３４を制御する流路制御部３７と、を有している。流路制御部３７は、洗浄時において、流路切換機構３４の入口部３４ａが吐出側出口部３４ｂに連結され、これによって洗浄液３１が洗浄液吐出ライン３５を通って吐出ヘッド１６に供給されるよう、流路切換機構３４を制御する。また流路制御部３７は、洗浄休止時において、流路切換機構３４の入口部が３４ａタンク側出口部３４ｃに連結され、これによって洗浄液３１が洗浄液戻りライン３６を通って洗浄液タンク３２に戻されるよう、流路切換機構３４を制御する。【選択図】図６
2012020447.tif 000002
【特許請求の範囲】
【請求項１】
印刷用の胴の外周面に付着したインクを洗浄する洗浄装置において、
胴の外周面を洗浄する帯状の洗浄布を巻き出す巻出ロールと、
前記巻出ロールからの洗浄布を巻き取る巻取ロールと、
前記巻出ロールと前記巻取ロールとの間に設けられ、前記洗浄布を前記胴の外周面に押し付ける押圧部と、
前記洗浄布に洗浄液を供給する洗浄液供給部と、を備え、
前記洗浄液供給部は、前記巻出ロールと前記押圧部との間に設けられ、洗浄液を前記洗浄布に向かって吐出する吐出口を含む吐出ヘッドと、前記吐出ヘッドに洗浄液を供給する洗浄液供給機構と、を有し、
前記洗浄液供給機構は、洗浄液を貯留する洗浄液タンクと、前記洗浄液タンクから洗浄液を取り出す洗浄液取出ラインと、前記洗浄液取出ラインに連結された入口部、吐出側出口部およびタンク側出口部を含む流路切換機構と、一端が前記吐出側出口部にされ、他端が前記吐出ヘッドに連結された洗浄液吐出ラインと、一端が前記タンク側出口部にされ、他端が前記洗浄液タンクに連結された洗浄液戻りラインと、流路切換機構を制御する流路制御部と、を有し、
流路制御部は、洗浄時において、流路切換機構の入口部が吐出側出口部に連結され、これによって洗浄液が洗浄液吐出ラインを通って吐出ヘッドに供給され、また洗浄休止時において、流路切換機構の入口部がタンク側出口部に連結され、これによって洗浄液が洗浄液戻りラインを通って洗浄液タンクに戻されるよう、流路切換機構を制御することを特徴とする洗浄装置。
【請求項２】
前記洗浄液供給部は、
前記巻出ロールと前記押圧部との間に設けられ、第１の洗浄液を前記洗浄布に向かって吐出する吐出口を含む第１の吐出ヘッドと、前記第１の吐出ヘッドに第１の洗浄液を供給する第１の洗浄液供給機構と、を含む第１の洗浄液供給部と、
前記巻出ロールと前記押圧部との間に設けられ、第２の洗浄液を前記洗浄布に向かって吐出する吐出口を含む第２の吐出ヘッドと、前記第２の吐出ヘッドに第２の洗浄液を供給する第２の洗浄液供給機構と、を含む第２の洗浄液供給部と、からなる
ことを特徴とする請求項１に記載の洗浄装置。
【請求項３】
前記洗浄液供給部は、前記巻出ロールと前記押圧部との間に設けられ、洗浄液を前記洗浄布に向かって吐出する吐出口を含む吐出ヘッドと、前記吐出ヘッドに第１の洗浄液を供給する第１の洗浄液供給機構と、前記吐出ヘッドに第２の洗浄液を供給する第２の洗浄液供給機構と、を有することを特徴とする請求項１に記載の洗浄装置。
【請求項４】
前記洗浄液供給部は、第１の洗浄液供給機構および第２の洗浄液供給機構と前記吐出ヘッドとの間に設けられ、第１の洗浄液供給機構からの第１の洗浄液または第２の洗浄液供給機構からの第２の洗浄液のいずれかを選択的に吐出ヘッドに送る洗浄液切換機構をさらに含むことを特徴とする請求項３に記載の洗浄装置。
【請求項５】
前記第２の洗浄液の沸点は、前記第１の洗浄液の沸点よりも低くなっており、
洗浄時、洗浄液供給部により、はじめに、第１の洗浄液が前記洗浄布に供給され、その後、第２の洗浄液が前記洗浄布に供給されることを特徴とする請求項２乃至４のいずれかに記載の洗浄装置。
【請求項６】
前記胴の外周面に付着したインキが、有機ＥＬ装置の正孔輸送層または発光層を形成するためのインキからなり、
前記第１の洗浄液または第２の洗浄液のいずれか一方が、芳香族溶媒を含む有機溶剤からなることを特徴とする請求項２乃至４のいずれかに記載の洗浄装置。
【請求項７】
前記胴の外周面に付着したインキが、有機ＥＬ装置の正孔注入層を形成するためのインキからなり、
前記第１の洗浄液または第２の洗浄液のいずれか一方が、水を含む溶剤、若しくはアセトンを含む有機溶剤からなることを特徴とする請求項２乃至４のいずれかに記載の洗浄装置。
【請求項８】
被印刷物上にインキを印刷する印刷機において、
複数のセルが形成されたインキ版と、
前記インキ版にインキを供給するインキ供給部と、
前記インキ供給部から供給されたインキを前記インキ版のセル内に充填させるドクターシステムと、
前記インキ版に当接して前記セル内のインキを受けるとともに、被印刷物上にインキを転移させる転写用胴と、
転写用胴の外周面に付着したインキを洗浄する洗浄装置であって、請求項１乃至７のいずれかに記載の洗浄装置と、を備えたことを特徴とする印刷機。
【請求項９】
被印刷物上にインキを印刷する印刷機において、
複数のセルが形成された円筒状のインキ版胴と、
前記インキ版胴にインキを供給するインキ供給部と、
前記インキ供給部から供給されたインキを前記インキ版胴のセル内に充填させるドクターシステムと、
前記インキ版胴に当接して前記セル内のインキを受けるとともに、被印刷物上にインキを転移させる転写用胴と、
インキ版胴の外周面に付着したインキを洗浄する洗浄装置であって、請求項１乃至７のいずれかに記載の洗浄装置と、を備えたことを特徴とする印刷機。
【請求項１０】
被印刷物上にインキを印刷する印刷方法において、
被印刷物を準備する工程と、
複数のセルが形成されたインキ版にインキを供給する工程と、
前記インキ版のセル内にインキを充填させる工程と、
転写用胴を前記インキ版に当接させることにより、転写用胴がインキ版の各セルからインキを受ける工程と、
前記転写用胴のインキを被印刷物上に転移させる工程と、
請求項１乃至７のいずれかに記載の洗浄装置を用いて、前記転写用胴の外周面に付着したインキを洗浄する工程と、を備えたことを特徴とする印刷方法。
【請求項１１】
被印刷物上にインキを印刷する印刷方法において、
被印刷物を準備する工程と、
複数のセルが形成された円筒状のインキ版胴にインキを供給する工程と、
前記インキ版胴のセル内にインキを充填させる工程と、
転写用胴を前記インキ版胴に当接させることにより、転写用胴がインキ版胴の各セルからインキを受ける工程と、
前記転写用胴のインキを被印刷物上に転移させる工程と、
請求項１乃至７のいずれかに記載の洗浄装置を用いて、前記インキ版胴の外周面に付着したインキを洗浄する工程と、を備えたことを特徴とする印刷方法。
【請求項１２】
有機ＥＬ装置の有機層を形成する有機層形成方法において、
有機ＥＬ装置用の基板を準備する工程と、
有機層用のインキを、複数のセルが形成されたインキ版に供給する工程と、
前記インキ版のセル内にインキを充填させる工程と、
転写用胴を前記インキ版に当接させることにより、転写用胴がインキ版の各セルからインキを受ける工程と、
前記転写用胴のインキを有機ＥＬ装置用の基板上に転移させる工程と、
請求項１乃至７のいずれかに記載の洗浄装置を用いて、前記転写用胴の外周面に付着した有機層用のインキを洗浄する工程と、を備えたことを特徴とする有機層形成方法。
【請求項１３】
有機ＥＬ装置の有機層を形成する有機層形成方法において、
有機ＥＬ装置用の基板を準備する工程と、
有機層用のインキを、複数のセルが形成された円筒状のインキ版胴に供給する工程と、
前記インキ版胴のセル内にインキを充填させる工程と、
転写用胴を前記インキ版胴に当接させることにより、転写用胴がインキ版胴の各セルからインキを受ける工程と、
前記転写用胴のインキを有機ＥＬ装置用の基板上に転移させる工程と、
請求項１乃至７のいずれかに記載の洗浄装置を用いて、前記インキ版胴の外周面に付着した有機層用のインキを洗浄する工程と、を備えたことを特徴とする有機層形成方法。
【発明の詳細な説明】
【技術分野】
【０００１】
本発明は、印刷用の胴の外周面に付着したインキを洗浄する洗浄装置に関する。また本発明は、当該洗浄装置を備えた印刷機に関する。また本発明は、当該洗浄装置を用いて転写用胴の外周面に付着した有機層用のインキを洗浄する工程を備えた印刷方法および有機層形成方法に関する。
【背景技術】
【０００２】
印刷装置におけるブランケット胴、版胴または圧胴などの胴を洗浄するための洗浄装置として、帯状の洗浄布を胴の外周面に押し付けて胴の洗浄を行う洗浄装置が知られている。このような洗浄装置は、一般に、洗浄布を巻き出す巻出ロールと、巻出ロールからの洗浄布を巻き取る巻取ロールと、巻出ロールと巻取ロールとの間に設けられ、洗浄布を胴の外周面に押し付ける押圧部と、を備えている。この場合、洗浄布は、巻出ロールから巻取ロールに向かって送られながら、胴の外周面に対して押し付けられる。これによって、胴の外周面上に付着したインキなどが洗浄される。
【０００３】
洗浄装置においては、洗浄布による洗浄効果を高めるため、一般に、胴の外周面に押し付けられる前の洗浄布に対して洗浄液が供給される。例えば、洗浄装置には、洗浄布に対して洗浄液を吐出するノズルと、ノズルに対して洗浄液を送る洗浄液供給機構と、を有する洗浄液供給部が設けられている。例えば特許文献１において、洗浄液を貯留するタンクと、タンクの洗浄液をノズルに送る送液路と、を含む洗浄液供給機構を備えた洗浄液供給部が開示されている。このような洗浄液供給部によって洗浄液が洗浄布に供給され、このことにより、胴の外周面に付着したインキなどに対する洗浄効果が高められる。
【先行技術文献】
【特許文献】
【０００４】
【特許文献１】特開２００１−２６０９７号公報
【発明の概要】
【発明が解決しようとする課題】
【０００５】
一般に洗浄装置においては、使用される洗浄布の量を少なくするため、洗浄されるべき胴が存在する場合にのみ、巻出ロールから巻取ロールに向かって洗浄布が送られる。同様に、使用される洗浄液の量を少なくするため、洗浄布が送られている場合にのみ、洗浄液供給部により、洗浄布に対して洗浄液が供給される。
【０００６】
一般に、巻出ロールから巻取ロールに向かっての洗浄布の送り出しが開始されてから、洗浄液供給機構のタンクからノズルに向かっての洗浄液の供給が開始される。この場合、洗浄布の送り出しが開始されてから所定の期間の間、タンクからの洗浄液がノズルに到達していないことが考えられる。このため、洗浄布の送り出しが開始してから所定の期間の間に胴の外周面に対して押し付けられる洗浄布には、洗浄液が塗布されていないことになる。従って、胴の外周面に付着したインキを十分に洗浄することができず、このことにより、洗浄開始直後に送り出された洗浄布が無駄になってしまうことが考えられる。
【０００７】
本発明は、このような課題を効果的に解決し得る洗浄装置、印刷機、印刷方法および有機層形成方法を提供することを目的とする。
【課題を解決するための手段】
【０００８】
本発明は、印刷用の胴の外周面に付着したインクを洗浄する洗浄装置において、胴の外周面を洗浄する帯状の洗浄布を巻き出す巻出ロールと、前記巻出ロールからの洗浄布を巻き取る巻取ロールと、前記巻出ロールと前記巻取ロールとの間に設けられ、前記洗浄布を前記胴の外周面に押し付ける押圧部と、前記洗浄布に洗浄液を供給する洗浄液供給部と、を備え、前記洗浄液供給部は、前記巻出ロールと前記押圧部との間に設けられ、洗浄液を前記洗浄布に向かって吐出する吐出口を含む吐出ヘッドと、前記吐出ヘッドに洗浄液を供給する洗浄液供給機構と、を有し、前記洗浄液供給機構は、洗浄液を貯留する洗浄液タンクと、前記洗浄液タンクから洗浄液を取り出す洗浄液取出ラインと、前記洗浄液取出ラインに連結された入口部、吐出側出口部およびタンク側出口部を含む流路切換機構と、一端が前記吐出側出口部にされ、他端が前記吐出ヘッドに連結された洗浄液吐出ラインと、一端が前記タンク側出口部にされ、他端が前記洗浄液タンクに連結された洗浄液戻りラインと、流路切換機構を制御する流路制御部と、を有し、流路制御部は、洗浄時において、流路切換機構の入口部が吐出側出口部に連結され、これによって洗浄液が洗浄液吐出ラインを通って吐出ヘッドに供給され、また洗浄休止時において、流路切換機構の入口部がタンク側出口部に連結され、これによって洗浄液が洗浄液戻りラインを通って洗浄液タンクに戻されるよう、流路切換機構を制御することを特徴とする洗浄装置である。
【０００９】
本発明による洗浄装置において、前記洗浄液供給部は、前記巻出ロールと前記押圧部との間に設けられ、第１の洗浄液を前記洗浄布に向かって吐出する吐出口を含む第１の吐出ヘッドと、前記第１の吐出ヘッドに第１の洗浄液を供給する第１の洗浄液供給機構と、を含む第１の洗浄液供給部と、前記巻出ロールと前記押圧部との間に設けられ、第２の洗浄液を前記洗浄布に向かって吐出する吐出口を含む第２の吐出ヘッドと、前記第２の吐出ヘッドに第２の洗浄液を供給する第２の洗浄液供給機構と、を含む第２の洗浄液供給部と、からなっていてもよい。
【００１０】
本発明による洗浄装置において、前記洗浄液供給部は、前記巻出ロールと前記押圧部との間に設けられ、洗浄液を前記洗浄布に向かって吐出する吐出口を含む吐出ヘッドと、前記吐出ヘッドに第１の洗浄液を供給する第１の洗浄液供給機構と、前記吐出ヘッドに第２の洗浄液を供給する第２の洗浄液供給機構と、を有していてもよい。
【００１１】
本発明による洗浄装置において、前記洗浄液供給部は、第１の洗浄液供給機構および第２の洗浄液供給機構と前記吐出ヘッドとの間に設けられ、第１の洗浄液供給機構からの第１の洗浄液または第２の洗浄液供給機構からの第２の洗浄液のいずれかを選択的に吐出ヘッドに送る洗浄液切換機構をさらに含んでいてもよい。
【００１２】
本発明による洗浄装置において、好ましくは、前記第２の洗浄液の沸点は、前記第１の洗浄液の沸点よりも低くなっている。この場合、洗浄時、洗浄液供給部により、はじめに、第１の洗浄液が前記洗浄布に供給され、その後、第２の洗浄液が前記洗浄布に供給される。
【００１３】
本発明による洗浄装置において、前記胴の外周面に付着したインキが、有機ＥＬ装置の正孔輸送層または発光層を形成するためのインキからなり、前記第１の洗浄液または第２の洗浄液のいずれか一方が、芳香族溶媒を含む有機溶剤からなっていてもよい。
【００１４】
本発明による洗浄装置において、前記胴の外周面に付着したインキが、有機ＥＬ装置の正孔注入層を形成するためのインキからなり、前記第１の洗浄液または第２の洗浄液のいずれか一方が、水を含む溶剤、若しくはアセトンを含む有機溶剤からなっていてもよい。
【００１５】
本発明は、被印刷物上にインキを印刷する印刷機において、複数のセルが形成されたインキ版と、前記インキ版にインキを供給するインキ供給部と、前記インキ供給部から供給されたインキを前記インキ版のセル内に充填させるドクターシステムと、前記インキ版に当接して前記セル内のインキを受けるとともに、被印刷物上にインキを転移させる転写用胴と、転写用胴の外周面に付着したインキを洗浄する洗浄装置であって、上記記載の洗浄装置と、を備えたことを特徴とする印刷機である。
【００１６】
本発明は、被印刷物上にインキを印刷する印刷機において、複数のセルが形成された円筒状のインキ版胴と、前記インキ版胴にインキを供給するインキ供給部と、前記インキ供給部から供給されたインキを前記インキ版胴のセル内に充填させるドクターシステムと、前記インキ版胴に当接して前記セル内のインキを受けるとともに、被印刷物上にインキを転移させる転写用胴と、インキ版胴の外周面に付着したインキを洗浄する洗浄装置であって、上記記載の洗浄装置と、を備えたことを特徴とする印刷機である。
【００１７】
本発明は、被印刷物上にインキを印刷する印刷方法において、被印刷物を準備する工程と、複数のセルが形成されたインキ版にインキを供給する工程と、前記インキ版のセル内にインキを充填させる工程と、転写用胴を前記インキ版に当接させることにより、転写用胴がインキ版の各セルからインキを受ける工程と、前記転写用胴のインキを被印刷物上に転移させる工程と、上記記載の洗浄装置を用いて、前記転写用胴の外周面に付着したインキを洗浄する工程と、を備えたことを特徴とする印刷方法である。
【００１８】
被印刷物上にインキを印刷する印刷方法において、被印刷物を準備する工程と、複数のセルが形成された円筒状のインキ版胴にインキを供給する工程と、前記インキ版胴のセル内にインキを充填させる工程と、転写用胴を前記インキ版胴に当接させることにより、転写用胴がインキ版胴の各セルからインキを受ける工程と、前記転写用胴のインキを被印刷物上に転移させる工程と、上記記載の洗浄装置を用いて、前記インキ版胴の外周面に付着したインキを洗浄する工程と、を備えたことを特徴とする印刷方法である。
【００１９】
本発明は、有機ＥＬ装置の有機層を形成する有機層形成方法において、有機ＥＬ装置用の基板を準備する工程と、有機層用のインキを、複数のセルが形成されたインキ版に供給する工程と、前記インキ版のセル内にインキを充填させる工程と、転写用胴を前記インキ版に当接させることにより、転写用胴がインキ版の各セルからインキを受ける工程と、前記転写用胴のインキを有機ＥＬ装置用の基板上に転移させる工程と、上記記載の洗浄装置を用いて、前記転写用胴の外周面に付着した有機層用のインキを洗浄する工程と、を備えたことを特徴とする有機層形成方法である。
【００２０】
本発明は、有機ＥＬ装置の有機層を形成する有機層形成方法において、有機ＥＬ装置用の基板を準備する工程と、有機層用のインキを、複数のセルが形成された円筒状のインキ版胴に供給する工程と、前記インキ版胴のセル内にインキを充填させる工程と、転写用胴を前記インキ版胴に当接させることにより、転写用胴がインキ版胴の各セルからインキを受ける工程と、前記転写用胴のインキを有機ＥＬ装置用の基板上に転移させる工程と、上記記載の洗浄装置を用いて、前記インキ版胴の外周面に付着した有機層用のインキを洗浄する工程と、を備えたことを特徴とする有機層形成方法である。
【発明の効果】
【００２１】
本発明の洗浄装置によれば、洗浄布に洗浄液を供給する洗浄液供給部は、巻出ロールと押圧部との間に設けられ、洗浄液を洗浄布に向かって吐出する吐出口を含む吐出ヘッドと、吐出ヘッドに洗浄液を供給する洗浄液供給機構と、を有している。このうち洗浄液供給機構は、洗浄液を貯留する洗浄液タンクと、洗浄液タンクから洗浄液を取り出す洗浄液取出ラインと、洗浄液取出ラインに連結された入口部、吐出側出口部およびタンク側出口部を含む流路切換機構と、一端が吐出側出口部にされ、他端が吐出ヘッドに連結された洗浄液吐出ラインと、一端がタンク側出口部にされ、他端が洗浄液タンクに連結された洗浄液戻りラインと、流路切換機構を制御する流路制御部と、を有している。そして、流路制御部は、洗浄時において、流路切換機構の入口部が吐出側出口部に連結され、これによって洗浄液が洗浄液吐出ラインを通って吐出ヘッドに供給され、また洗浄休止時において、流路切換機構の入口部がタンク側出口部に連結され、これによって洗浄液が洗浄液戻りラインを通って洗浄液タンクに戻されるよう、流路切換機構を制御する。このように、洗浄休止時であっても、洗浄液供給機構において洗浄液が常に循環されている。このため、洗浄を再開する際、洗浄液供給機構が吐出ヘッドに対して即座に洗浄液を供給することができ、このことにより、洗浄の再開直後から吐出ヘッドが洗浄布に向かって洗浄液を吐出することができる。これによって、洗浄液が塗布されていない状態で胴の外周面に対して押し付けられる洗浄布の量を低減することができ、このことにより、無駄になる洗浄布の量を低減することができる。
【図面の簡単な説明】
【００２２】
【図１】図１は、本発明の第１の実施の形態における印刷機を示す図。
【図２】図２は、本発明の第１の実施の形態における洗浄装置を示す図。
【図３】図３は、図２の洗浄装置の洗浄液供給部を拡大して示す図。
【図４】図４は、図３に示す吐出口および吐出ヘッドの縦断面図。
【図５】図５は、図３に示す吐出口および吐出ヘッドのＶ−Ｖ線に沿った横断面図。
【図６】図６は、本発明の第１の実施の形態における洗浄液供給部の洗浄液供給機構を示す図。
【図７】図７は、図２に示す洗浄装置の洗浄布を矢印VI方向から見た場合を示す図。
【図８】図８は、図７に示す洗浄布のVII−VII線に沿った断面図。
【図９】図９は、図７に示す洗浄布を拡大して示す図。
【図１０】図１０は、本発明の第２の実施の形態における洗浄装置を示す図。
【図１１】図１１は、本発明の第２の実施の形態における洗浄液供給部の洗浄液供給機構を示す図。
【図１２】図１２は、本発明の第３の実施の形態における洗浄液供給部の洗浄液供給機構を示す図。
【図１３】図１３は、本発明の第３の実施の形態の変形例における洗浄液供給部の洗浄液供給機構を示す図。
【発明を実施するための形態】
【００２３】
第１の実施の形態
以下、図１乃至図９を参照して、本発明の第１の実施の形態について説明する。はじめに図１を参照して、本発明による洗浄装置１０を備えた印刷機１全体について説明する。
【００２４】
印刷機
図１に示すように、平台の枚葉印刷機１は、フレーム５と、フレーム５上に固定され、その上面に複数のセル３を有する平板状のグラビア版（インキ版）２と、フレーム５上に固定され、平板状の被印刷物９が載置される定盤６と、フレーム５上を矢印Ｐで示す印刷方向に沿って走行可能となるようフレーム５に設けられたブランケット胴（転写用胴）２０と、を備えている。
【００２５】
また図１に示すように、グラビア版２上には、グラビア版２の上面にインキ４を供給するインキ供給部７と、インキ供給部７から供給されたインキ４をグラビア版２のセル３に充填させるドクターシステム８と、が設けられている。ドクターシステム８は、グラビア版２上のインキ４を図１における右方向に向かって掻く第１ドクター８ａと、インキ４を図１における左方向に向かって掻く第２ドクター８ｂと、各ドクター８ａ，８ｂを上下方向に駆動可能なドクター駆動部８ｃと、を有している。
【００２６】
有機ＥＬ装置や有機薄膜トランジスタ（有機ＴＦＴ）に用いられる有機層では膜の均一性が要求される。本実施の形態による平台の枚葉印刷機１は、そのような有機層を形成する際に用いることができる。例えば、被印刷物９は、有機ＥＬに用いられる有機層を形成するための有機ＥＬ装置用の基板を含む。このような被印刷物９としては、例えば、何も載置されていないガラス基板や、有機ＥＬや有機ＴＦＴに用いられる有機層の幾つかが既に形成されているガラス基板や、絶縁層および電極（ＩＴＯなど）が既に形成されているガラス基板や、何も形成されていないフィルム基板や、有機ＥＬや有機ＴＦＴに用いられる有機層の幾つかが既に形成されているフィルム基板や、絶縁層および電極（ＩＴＯなど）が既に形成されているフィルム基板などを用いることができる。
【００２７】
図示はしないが、このようなこのようなガラス基板やフィルム基板などの被印刷物９に形成される有機層としては、例えば、発光層、電子注入層、電子輸送層、正孔注入層、正孔輸送層などを挙げることができる。ここで、印刷により形成される各有機層の厚みは、例えば１０〜１０００ｎｍの範囲内となっている。
【００２８】
インキ
次に、上述の有機層を印刷により形成するために用いられるインキ４について説明する。インキ４は、溶媒と、溶媒中に溶解された固形分からなっている。インキ４としては、例えば、せん断速度１００／秒における粘度（インキ温度２３℃）が１〜２００ｃＰの範囲内となっているインキ４が用いられる。このように、本実施の形態における印刷機１で用いられるインキ４は、一般的なインキよりも粘度が小さくなっている。尚、インキ４の粘度測定は、例えば、Ｐｈｙｓｉｃａ社製の粘弾性測定装置ＭＣＲ３０１型を用いて、測定温度２３℃で定常流測定モードにより行うことができる。
【００２９】
また、印刷機１で用いられるインキ４において、使用している溶媒の表面張力が４０ｄｙｎｅ／ｃｍ以下、好ましくは２０〜３７ｄｙｎｅ／ｃｍの範囲内であり、かつ、沸点が１５０〜２６５℃、好ましくは１７０〜２３０℃の範囲内であることが好ましい。
なお、インキ４に使用している溶媒の表面張力が４０ｄｙｎｅ／ｃｍを超えると、グラビア版２からブランケット胴２０へのインキ４の受理性が低下することが考えられ、好ましくない。さらに、インキ４の溶媒の沸点が１５０℃未満であると、ブランケット胴２０から被印刷物９に転移されたインキ４が直ちに乾燥し、これによって、インキ４により形成される有機層にスジが発生しやすくなることが考えられる。また、インキ４の溶媒の沸点が２６５℃を超えると、インキ４の乾燥が困難となり、乾燥ゾーンでの乾燥による被印刷物９等への影響が生じること、溶剤の残留を生じることなどが考えられ、好ましくない。尚、溶媒の表面張力の測定は、例えば、協和界面科学（株）製の表面張力計ＣＢＶＰ−Ｚ型により、液温２０℃で行うものとする。
【００３０】
（インキの固形分）
インキ４に用いる溶媒および固形分は、印刷機１によって被印刷物９上に形成する有機層に応じて適宜選択される。例えば、印刷機１によって有機発光デバイスの発光素子層の発光層を形成する場合、発光層用のインキ４の固形分として、下記のような色素系、金属錯体系、高分子系のものを挙げることができる。
（１）色素系発光材料
シクロペンタジエン誘導体、テトラフェニルブタジエン誘導体、トリフェニルアミン誘導体、オキサジアゾール誘導体、ピラゾロキノリン誘導体、ジスチリルベンゼン誘導体、ジスチリルアリーレン誘導体、シロール誘導体、チオフェン環化合物、ピリジン環化合物、ペリノン誘導体、ペリレン誘導体、オリゴチオフェン誘導体、トリフマニルアミン誘導体、オキサジアゾールダイマー、ピラゾリンダイマー等が挙げられる。
【００３１】
（２）金属錯体系発光材料
アルミキノリノール錯体、ベンゾキノリノールベリリウム錯体、ベンゾオキサゾール亜鉛錯体、ベンゾチアゾール亜鉛錯体、アゾメチル亜鉛錯体、ポリフィリン亜鉛錯体、ユーロピウム錯体等、中心金属にＡｌ、Ｚｎ、Ｂｅ等、または、Ｔｂ、Ｅｕ、Ｄｙ等の希土類金属を有し、配位子にオキサジアゾール、チアジアゾール、フェニルピリジン、フェニルベンゾイミダゾール、キノリン構造等を有する金属錯体が挙げられる。
【００３２】
（３）高分子系発光材料
ポリパラフェニレンビニレン誘導体、ポリチオフェン誘導体、ポリパラフェニレン誘導体、ポリシラン誘導体、ポリアセチレン誘導体、ポリビニルカルバゾール誘導体、ポリフルオレン誘導体等が挙げられる。
発光層用のインキ４における上述の固形分の含有量は、好ましくは、１．５〜４．０重量％の範囲で設定される。
【００３３】
また、印刷機１によって有機発光デバイスの発光素子層の正孔輸送層を形成する場合、正孔輸送層用のインキ４の固形分として、例えば、オキサジアゾール系、オキサゾール系、トリアゾール系、チアゾール系、トリフェニルメタン系、スチリル系、ピラゾリン系、ヒドラゾン系、芳香族アミン系、カルバゾール系、ポリビニルカルバゾール系、スチルベン系、エナミン系、アジン系、トリフェニルアミン系、ブタジエン系、多環芳香族化合物系、スチルベン二量体等の材料が挙げられる。
【００３４】
また、印刷機１によって有機発光デバイスの発光素子層の正孔注入層を形成する場合、正孔注入層用のインキ４の固形分として、例えば、フェニルアミン系、スターバースト型アミン系、フタロシアニン系、酸化バナジウム、酸化モリブデン、酸化ルテニウム、酸化アルミニウム等の酸化物、アモルファスカーボン、ポリアニリン、ポリチオフェン誘導体、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、ポリシラン系、アニリン系共重合体、チオフェンオリゴマー等の誘電性高分子オリゴマー等、を挙げることができる。
【００３５】
（インキの溶媒）
また、印刷機１によって有機発光デバイスの発光素子層の発光層を形成する場合、インキ４の溶媒として、表面張力が上記の範囲（４０ｄｙｎｅ／ｃｍ以下）を満足し、かつ、沸点が上記の範囲（１５０〜２６５℃）を満足するもの、例えば、クメン、アニソール、ｎ−プロピルベンゼン、メシチレン、１，２，４−トリメチルベンゼン、リモネン、ｐ−シメン、ｏ−ジクロロベンゼン、ブチルベンゼン、ジエチルベンゼン、２，３−ジヒドロベンゾフラン、安息香酸メチル、１，２，３，４−テトラメチルベンゼン、アミルベンゼン、テトラリン、安息香酸エチル、フェニルヘキサン、シクロヘキシルベンゼン、安息香酸ブチル等を単独で使用することができる。また、混合溶媒を使用する場合には、混合比に応じた割合で計算した表面張力と沸点が上記の範囲を満足するものを使用する。例えば、表面張力がＡｄｙｎｅ／ｃｍ、沸点がＢ℃の溶媒１と、表面張力がＣｄｙｎｅ／ｃｍ、沸点がＤ℃の溶媒２とを３：７の重量比で混合した混合溶媒の場合、混合比に応じた割合で計算した表面張力［（Ａ×３／１０）＋（Ｃ×７／１０）］が上記の範囲（４０ｄｙｎｅ／ｃｍ以下）を満足し、かつ、混合比に応じた割合で計算した沸点［（Ｂ×３／１０）＋（Ｄ×７／１０）］が上記の範囲（１５０〜２６５℃）を満足することが必要となる。したがって、混合溶媒を構成する個々の溶媒は、表面張力と沸点が上記の範囲から外れるものであってもよい。
【００３６】
このようなインキ４を用いて印刷機１により被印刷物９上に有機層を形成する場合、はじめに、インキ４がインキ供給部７からグラビア版２の上面に供給される。次に、ドクターシステム８の第１ドクター８ａにより、インキ４がグラビア版２のセル３に充填される。その後、ブランケット版胴２０がグラビア版２上を走行し、これによって、ブランケット版胴２０の外周面２０ａによりグラビア版２のセル３内のインキ４が受理される。
【００３７】
次に、ブランケット胴２０が被印刷物９上を走行する。これによって、ブランケット版胴２０の外周面２０ａ上のインキ４が被印刷物９上に転移される。その後、転移されたインキ４を適宜乾燥させることにより、被印刷物９上に有機層が形成される。
【００３８】
ここで、インキ４を被印刷物９上に転移させた後のブランケット版胴２０の外周面２０ａには、通常、所定量のインキ４が残存している。このような残存インキ４を除去するため、印刷機１には、図１に示すように、ブランケット版胴２０の外周面２０ａに付着したインキ４を洗浄するための洗浄装置１０が設けられている。以下、本実施の形態による洗浄装置１０について詳細に説明する。
【００３９】
洗浄装置
図２は、図１の印刷機１の洗浄装置１０を拡大して示す図である。図２に示すように、洗浄装置１０は、ブランケット版胴２０の外周面２０ａを洗浄する帯状の洗浄布２５を巻き出す巻出ロール１１と、巻出ロール１１からの洗浄布２５を巻き取る巻取ロール１２と、巻出ロール１１と巻取ロール１２との間に設けられ、洗浄布２５をブランケット版胴２０の外周面２０ａに押し付ける押圧部１３と、洗浄布２５に洗浄液３１（図４参照）を供給する洗浄液供給部１４と、を備えている。
【００４０】
図２に示すように、巻出ロール１１からの洗浄布２５は、ガイドロール２１、洗浄液供給部１４、および押圧部１３を介して巻取ロール１２へ送られる。ここで押圧部１３は、図２に示すように、洗浄布２５をブランケット版胴２０の外周面２０ａに押し付ける押圧ヘッド１３ａと、押圧ヘッド１３ａにその一端が固定されたエアシリンダ１３ｂと、エアシリンダ１３ｂの他端に接続されるとともにエアシリンダ１３ｂを伸縮させる駆動部１３ｃと、を有している。また図２に示すように、洗浄布２５の両面のうち、洗浄時にブランケット胴２０に接する面が表面２５ａとなっており、表面２５ａの反対側の面が裏面２５ｂとなっている。
【００４１】
洗浄液供給部
図３は、図２の洗浄装置１０の洗浄液供給部１４を拡大して示す図である。図２および図３に示すように、洗浄液供給部１４は、洗浄液３１を貯留する吐出ヘッド１６と、巻出ロール１１と押圧部１３との間に設けられ、吐出ヘッド１６に貯留された洗浄液３１を洗浄布２５に向かって吐出する吐出口１５と、吐出ヘッド１６に洗浄液３１を供給する洗浄液吐出ライン３５を含む洗浄液供給機構（後述）と、を有している。このうち吐出口１５は、図３に示すように、洗浄布２５に当接した状態で洗浄布２５に対して洗浄液３１を吐出するよう構成されている。例えば、吐出口１５は、巻出ロール１１から巻取ロール１２に向かって送られる洗浄布２５に常に当接するよう配置されている。
【００４２】
後述するように、洗浄液供給機構の洗浄液タンクからの洗浄液が、洗浄液吐出ライン３５を介して吐出ヘッド１６に供給される。この洗浄液吐出ライン３５には、図３に示すように、洗浄液吐出ライン３５から吐出ヘッド１６への洗浄液３１の流れを遮蔽することができる遮蔽弁３９が設けられている。このため、巻出ロール１１から巻取ロール１２への洗浄布２５の送りが休止されている時、すなわち洗浄装置１０による洗浄が休止されている時、洗浄液タンク内の洗浄液３１が吐出ヘッド１６に供給されるのを停止することができる。このことにより、洗浄液供給部１４の吐出口１５から洗浄布２５に対して洗浄液３１が無駄に吐出されるのを防ぐことができる。
【００４３】
（吐出ヘッドおよび吐出口）
次に、図４および図５を参照して、洗浄液供給部１４の吐出ヘッド１６および吐出口１５についてより詳細に説明する。図４は、図３に示す洗浄液供給部１４の吐出ヘッド１６および吐出口１５を示す縦断面図であり、図５は、図３に示す洗浄液供給部１４の吐出ヘッド１６および吐出口１５のＶ−Ｖ線に沿った横断面図である。
【００４４】
図４および図５に示すように、吐出ヘッド１６の側面には開口部１６ａが形成されており、この開口部１６ａに吐出口１５が接続されている。また吐出ヘッド１６内には、少なくともその一部分が吐出口１５と同一水平面上に位置する制限部材１６ｂが挿入されている。
【００４５】
このように吐出ヘッド１６内に制限部材１６ｂを挿入することにより、吐出ヘッド１６の体積および表面積を十分に大きくするとともに、吐出ヘッド１６に貯留される洗浄液３１の体積をより小さくすることが可能となる。
【００４６】
この場合、吐出ヘッド１６の体積および表面積を十分に大きくすることにより、吐出ヘッド１６に接続される吐出口１５または洗浄液吐出ライン３５として、より大きな吐出口１５または洗浄液吐出ライン３５を選択することが可能となる。また、吐出ヘッド１６の外側表面上の様々な場所に吐出口１５または洗浄液吐出ライン３５を接続することが可能となる。すなわち、吐出ヘッド１６の体積および表面積を十分に大きくすることにより、吐出ヘッド１６に洗浄液供給部１４の様々な構成要素を接続する際の自由度を高くすることができる。
【００４７】
一方、吐出ヘッド１６に貯留される洗浄液３１の体積を小さくすることにより、吐出口１６からの意図しない洗浄液３１の漏れを抑制することができる。例えば、洗浄装置１０による洗浄が休止されている場合に、何らかの原因により吐出ヘッド１６が振動すると、吐出ヘッド１６内に貯留されている洗浄液３１の液面が振動し、これによって洗浄液３１が吐出口１５から漏れることが考えられる。ここで本実施の形態によれば、吐出ヘッド１６に貯留される洗浄液３１の体積が制限部材１６ｂにより制限されており、このため、制限部材１６ｂが挿入されていない場合に比べて、吐出口１５から漏れる洗浄液３１の量を低減させることができる。この効果は、制限部材１６ｂを、少なくともその一部分が吐出口１５と同一水平面上に位置するよう配置することにより、より顕著になると考えられる。吐出口１５と同一の水平面上における吐出ヘッド１６の断面積（洗浄液３１を貯留可能な部分の面積）をより小さくすることにより、吐出ヘッド１６の振動時に吐出口１５よりも高い位置まで移動する洗浄液３１の量をより少なくすることができると考えられるからである。
【００４８】
なお、制限部材１６ｂは、好ましくは、より吐出口１５側に偏らせて配置される。具体的には、制限部材１６ｂと開口部１６ａとの間の間隔ｄ１が、制限部材１６ｂと吐出ヘッド１６の内側表面との間の間隔ｄ２よりも小さくなるよう、制限部材１６ｂが配置される。これによって、吐出ヘッド１６の振動時に吐出口１５から漏れる洗浄液３１の量をより低減させることができる。
【００４９】
なお、洗浄が休止されている場合に制限部材１６ｂにより洗浄液３１の漏れが低減される効果について説明したが、これに限られることはない。例えば洗浄時であっても、制限部材１６ｂを設けることにより、吐出ヘッド１６が振動した場合に、意図されている量よりも多い量の洗浄液３１が吐出口１５から洗浄布２５に対して吐出されるのを防ぐことができる。
【００５０】
制限部材１６ｂを構成する材料が特に限られることはなく、用いられる洗浄液３１の特性などに応じて適宜材料が選択される。例えば制限部材１６ｂの材料としてステンレス鋼が用いられる。また制限部材１６ｂの形状が特に限られることはなく、吐出ヘッド１６の形状や、求められる体積などに応じて、適宜形状が設計される。例えば、板状、棒状などの制限部材１６ｂが用いられる。
【００５１】
洗浄液供給機構
次に図６を参照して、吐出ヘッド１６に洗浄液３１を供給する洗浄液供給機構３０について詳細に説明する。
【００５２】
図６に示すように、洗浄液供給機構３０は、洗浄液３１を貯留する洗浄液タンク３２と、洗浄液タンク３２から洗浄液３１を取り出す洗浄液取出ライン３３と、洗浄液取出ライン３３に連結された入口部３４ａ、吐出側出口部３４ｂおよびタンク側出口部３４ｃを含む流路切換機構３４と、一端３５ａが吐出側出口部３４ｂにされ、他端３５ｂが吐出ヘッド１６に連結された洗浄液吐出ライン３５と、一端３６ａがタンク側出口部３４ｃにされ、他端３６ｂが洗浄液タンク３１に連結された洗浄液戻りライン３６と、流路切換機構３４を制御する流路制御部３７と、を有している。また図６に示すように、洗浄液吐出ライン３５には、洗浄液吐出ライン３５を通る洗浄液３１の流量を計測する流量計３８が取り付けられている。なお図示はしないが、洗浄液吐出ライン３５および洗浄液戻りライン３６には、各ライン３５，３６を通る洗浄液３１の流量を調整する調整弁が設けられていてもよい。
【００５３】
また図６に示すように、洗浄液取出ライン３３にはポンプ３３ａが設けられており、このポンプ３３ａによって、洗浄液タンク３２から洗浄液３１が取り出される。また、ポンプ３３ａと流路切換機構３４との間にはフィルター３３ｂが介挿されており、このフィルター３３ｂによって、洗浄液３１に含まれるゴミなどの不純物が取り除かれる。
【００５４】
流路切換機構３４は、洗浄液タンク３２から取り出された洗浄液３１を、吐出ヘッド１６に向けて送るか、または洗浄液タンク３２に戻すかを自在に切り換えるためのものである。上述のように、流路切換機構３４は、洗浄液タンク３２からの洗浄液３１が入力される入口部３４ａと、吐出ヘッド１６に向けて洗浄液３１を送り出す吐出側出口部３４ｂと、洗浄液タンク３２に向けて洗浄液３１を送り出すタンク側出口部３４ｃと、を含んでいる。この流路切換機構３４には、上述のように、流路切換機構３４における洗浄液３１の流路の切換を制御する流路制御部３７が設けられている。この流路制御部３７は、洗浄装置１０における洗浄の実施または休止を制御する洗浄制御部５０からの信号に基づいて、洗浄液３１が吐出側出口部３４ｂまたはタンク側出口部３４ｃのいずれか一方から送り出されるよう、流路切換機構３４を制御する。
【００５５】
このような流路切換機構３４の具体的な構成が特に限られることはなく、流路を切り換えるための様々な手段が用いられる。例えば図６に示すように、流路切換機構３４が、常時閉電磁弁３４ｄと常時開電磁弁３５ｅとから構成されていてもよい。ここで常時閉電磁弁３４ｄとは、例えば、流路制御部３７から常時閉電磁弁３４ｄに送られる電気信号がｌｏｗレベルの場合に常時閉電磁弁３４ｄの入口ポートと出口ポートとの間を遮断し、当該電気信号がｈｉｇｈレベルの場合に常時閉電磁弁３４ｄの入口ポートと出口ポートとの間を連通させるものである。一方、常時開電磁弁３４ｅとは、例えば、流路制御部３７から常時開電磁弁３４ｅに送られる電気信号がｌｏｗレベルの場合に常時開電磁弁３４ｅの入口ポートと出口ポートとの間を連通させ、当該電気信号がｈｉｇｈレベルの場合に常時開電磁弁３４ｅの入口ポートと出口ポートとの間を遮断するものである。
【００５６】
図６に示すように、常時閉電磁弁３４ｄおよび常時開電磁弁３５ｅの入口ポートが各々、流路切換機構３４の入口部３４ａを構成している。また、常時閉電磁弁３４ｄの出口ポートが、流路切換機構３４の吐出側出口部３４ｂを構成し、常時開電磁弁３４ｅの出口ポートが、流路切換機構３４のタンク側出口部３４ｃを構成している。
この場合、流路制御部３７は、洗浄装置１０による洗浄が実施される時、ｈｉｇｈレベルの電気信号を流路切換機構３４に送る。これによって、常時閉電磁弁３４ｄの入口ポートと出口ポートとの間が連通される。すなわち、流路切換機構３４の入口部３４ａが吐出側出口部３４ｂに連結され、このことにより、洗浄液３１が洗浄液吐出ライン３５を通って吐出ヘッド１６に供給される。
一方、流路制御部３７は、洗浄装置１０による洗浄が休止される時、ｌｏｗレベルの電気信号を流路切換機構３４に送る。これによって、常時開電磁弁３４ｅの入口ポートと出口ポートとの間が連通される。すなわち、流路切換機構３４の入口部３４ａがタンク側出口部３４ｃに連結され、このことにより、洗浄液３１が洗浄液戻りライン３６を通って洗浄液タンク３２に戻される。
【００５７】
本実施の形態において、上述の流路切換機構３４は、可能な限り吐出ヘッド１６の近傍に設けられている。これによって、後述するように、洗浄装置１０による洗浄が再開される際、洗浄液供給機構３０が吐出ヘッド１６に対して即座に洗浄液３１を供給することが可能となる。
【００５８】
洗浄液
本実施の形態による洗浄装置１０において用いられる洗浄液３１は、ブランケット胴２０の外周面２０ａに付着するインキ４の特性に応じて適宜選択される。例えば、有機ＥＬ装置の正孔輸送層または発光層を形成するためのインキが用いられる場合、洗浄液３１として、トルエンなどの芳香族溶媒を含む有機溶剤が用いられる。また、有機ＥＬ装置の正孔注入層を形成するためのインキが用いられる場合、洗浄液として、水を含む溶剤、若しくはアセトンを含む有機溶剤が用いられる。
【００５９】
なおトルエンなどの芳香族溶媒は、常温で高い揮発性を有するとともに、その引火点が低い液体である。このため、トルエンなどの芳香族溶媒を含む洗浄液３１を噴射により、とりわけ圧縮噴射により洗浄布２５に対して供給することは大きな危険を伴う。
【００６０】
ここで本実施の形態によれば、上述のように、洗浄液供給部１４の吐出口１５は、洗浄布２５に当接した状態で洗浄液３１を吐出するよう構成されている。このため、トルエンなどの芳香族溶媒を含む洗浄液３１を洗浄布２５に供給する際、トルエンなどの芳香族溶媒を含む洗浄液３１が引火することはない。このように本実施の形態によれば、吐出口１５を洗浄布２５に当接させて洗浄液３１を洗浄布２５に供給することにより、様々な種類の洗浄液３１を利用することを可能としている。
【００６１】
洗浄布
次に図７乃至図９を参照して、本実施の形態による洗浄装置１０において用いられる洗浄布２５についてより詳細に説明する。図７は、図２に示す洗浄装置１０の洗浄布２５を矢印VI方向から見た場合を示す図であり、図８は、図７に示す洗浄布２５のVII−VII線に沿った断面図であり、図９は、図７に示す洗浄布２５を拡大して示す図である。
【００６２】
図７に示すように、洗浄布２５は、多数の繊維２６を規則的に３次元交絡させることにより構成されている。図８に示すように、洗浄布２５を構成する各繊維２６の繊維径はｔ１となっており、洗浄布２５を構成する各繊維２６の３次元交絡の交絡長さはｔ２となっている。ここで「繊維径ｔ１」とは、洗浄布２５の法線方向ＤＮにおける各繊維２６の厚みのことである。また「３次元交絡の交絡長さｔ２」とは、３次元交絡している繊維２６が洗浄布２５の表面２５ａまたは裏面２５ｂのどちらか一方に露出する際の露出部分の長さのことである。
【００６３】
好ましくは、繊維径ｔ１の平均値は１００〜３００μｍの範囲内となっている。なお繊維径ｔ１の平均値は、例えば、任意の１０箇所において測定された繊維径ｔ１を平均することにより算出される。
【００６４】
また好ましくは、３次元交絡の交絡長さｔ２は１００〜３００μｍの範囲内となっている。なお図７および図８においては、多数の繊維２６が規則的に３次元交絡されている例を示したが、これに限られることはなく、図示はしないが、多数の繊維２６が不規則に３次元交絡されていてもよい。この場合、好ましくは、３次元交絡の交絡長さｔ２の平均値が１００〜３００μｍの範囲内となっている。３次元交絡の交絡長さｔ２の平均値は、例えば、任意の１０箇所において、繊維２６が洗浄布２５の表面２５ａまたは裏面２５ｂのどちらか一方に露出する際の露出部分の長さを測定し、これらの測定値を平均することにより算出される。
【００６５】
次に、洗浄布２５を構成する各繊維２６の好ましい形態について説明する。図９に示すように、洗浄布２５を構成する各繊維２６は、多数の単位繊維２６ａを束ねることにより形成されている。このように多数の単位繊維２６ａから繊維２６が構成される場合、洗浄布２５の端部において、いくつかの単位繊維２６ａがほぐれて洗浄布２５から外側に突出することが考えられる。このような状態の洗浄布２５を用いてブランケット胴２０の洗浄を行うと、突出した単位繊維２６ａが洗浄布２５から分離されてブランケット胴２０の外周面２０ａに付着することがある。その後、外周面２０ａに単位繊維２６ａが付着した状態のブランケット胴２０を用いて有機ＥＬ装置の発光層などを形成すると、形成された発光層などに単位繊維２６ａが混入し、これによって発光不良などの不具合が生じることがある。
【００６６】
単位繊維２６ａの混入による上述のような不具合を防ぐため、好ましくは、突出する単位繊維２６ａの太さは５μｍよりも小さくなっており、また、突出する単位繊維２６ａの突出長さは１００μｍよりも短くなっている。これによって、単位繊維２６ａの混入に起因する発光不良などの不具合が生じるのを防ぐことができる。
【００６７】
洗浄布２５を構成する繊維２６の材料は、洗浄液の特性、ブランケット胴２０の材質などに応じて適宜選択される。例えば、洗浄布２５を構成する繊維２６として、ポリエステル系繊維が１００％用いられてもよく、若しくは、ポリエステル系繊維とポリアミド系繊維との組合せが用いられてもよい。ポリアミド系繊維としては、例えばナイロンが用いられる。
【００６８】
次に、このような構成からなる本実施の形態の作用について説明する。ここでは、はじめに、印刷機１により被印刷物９上にインキ４を印刷し、これによって被印刷物９上に有機層を形成する方法について説明する。次に、ブランケット胴２０の外周面２０ａに付着したインキ４を洗浄装置１０により洗浄する方法について説明する。
【００６９】
印刷方法
はじめに、有機ＥＬ装置用の基板などの被印刷物９を定盤６上に載置し、次に、インキ供給部７により、インキ４をグラビア版２の上面に供給する。その後、ドクターシステム８の第１ドクター８ａにより、インキ４をグラビア版２のセル３内に充填させる。次に、グラビア版２上においてブランケット版胴２０を走行させる。これによって、ブランケット版胴２０の外周面２０ａ上にグラビア版２のセル３内のインキ４が受理される。
【００７０】
次に、被印刷物９上においてブランケット胴２０を走行させる。これによって、ブランケット版胴２０の外周面２０ａ上のインキ４が被印刷物９上に転移される。その後、転移されたインキ４を適宜乾燥させることにより、被印刷物９上に有機層が形成される。
【００７１】
上述のようにブランケット胴２０が印刷のために用いられる間、洗浄装置１０による洗浄は休止されている。すなわち、巻出ロール１１から巻取ロール１２に向かっての洗浄布２５の送り出しは休止されており、また、洗浄液供給部１４から洗浄布２５への洗浄液３１の供給も休止されている。このように洗浄装置１０による洗浄が休止されている間であっても、洗浄液供給機構３０においては、その内部で洗浄液３１が循環されている。具体的には、流路制御部３７により、ｌｏｗレベルの電気信号が流路切換機構３４に送られており、これによって、常時開電磁弁３４ｅの入口ポートと出口ポートとの間が連通されている。このため、流路切換機構３４の入口部３４ａがタンク側出口部３４ｃに連結されており、このことにより、洗浄液３１が洗浄液戻りライン３６を通って洗浄液タンク３２に戻されている。すなわち、洗浄液供給機構３０において洗浄液３１が循環されている。
【００７２】
胴の洗浄方法
次に、ブランケット胴２０の外周面２０ａに付着したインキ４を洗浄装置１０により洗浄する方法について説明する。まず図１に示すように、外周面２０ａにインキ４が付着したブランケット胴２０を、洗浄装置１０の下方まで移動させる。次に、洗浄装置１０を下方に移動させる。その後、巻出ロール１１から巻取ロール１２へ向けて帯状の洗浄布２５を送り出す。同時に、洗浄液供給部１４から洗浄布２５への洗浄液３１の供給を開始する。
【００７３】
具体的には、はじめに洗浄制御部５０により、洗浄装置１０による洗浄動作が再開されるという情報に関する信号が、洗浄液供給機構３０の流路制御部３７に送られる。その後、流路制御部３７により、ｈｉｇｈレベルの電気信号が流路切換機構３４に送られる。これによって、常時開電磁弁３４ｅの入口ポートと出口ポートとの間が遮断され、同時に常時閉電磁弁３４ｄの入口ポートと出口ポートとの間が連通される。このため、流路切換機構３４の入口部３４ａが吐出側出口部３４ｂに連結される。
【００７４】
さらに、洗浄液吐出ライン３５に設けられた遮蔽弁３９を開放する。これによって、洗浄液３１が洗浄液吐出ライン３５を通って吐出ヘッド１６に供給される。
【００７５】
洗浄液供給機構３０から供給される洗浄液３１により、吐出ヘッド１６内に貯留される洗浄液３１の液面が上昇する。洗浄液３１の液面が吐出口１５と同一の水平面上に到達すると、洗浄液３１が吐出口１５から吐出される。
【００７６】
ここで本実施の形態によれば、上述のように、吐出口１５は、洗浄布２５に当接するよう配置されている。このため、吐出口１５から吐出される洗浄液３１は全て洗浄布２５に供給される。このように本実施の形態によれば、洗浄液供給機構３０から吐出ヘッド１６に供給される洗浄液３１を確実に洗浄布２５に対して供給することができる。このため、洗浄液供給機構３０から吐出ヘッド１６に供給される、単位時間あたりの洗浄液の量を、洗浄において必要とされる、単位時間あたりの洗浄液の量にほぼ等しく設定することができる。このことにより、噴射により洗浄液３１を洗浄布２５に対して供給する場合に比べて、無駄になる洗浄液３１の量を低減させることができ、このことにより、洗浄に要するコストを下げることができる。
【００７７】
洗浄液供給部１４からの洗浄液３１を受理した洗浄布２５は、その後、図２に示すように押圧部１３に送られる。押圧部１３においては、駆動部１３ｃによりエアシリンダ１３ｂを駆動することにより、洗浄液３１が滲みこんだ洗浄布２５がブランケット胴２０の外周面２０ａに押し付けられる。これによって、ブランケット胴２０の外周面２０ａに付着したインキ４が洗浄される。
【００７８】
ブランケット胴２０の外周面２０ａに押し付けられた後の洗浄布２５は、図２に示すように、巻取ロール１２により巻き取られる。一方、洗浄液３１が滲みこんだ洗浄布２５により洗浄されたブランケット胴２０の外周面２０ａは、エアブロワー２２からの風により乾燥される。ここで本実施の形態によれば、上述のように、洗浄において必要とされる量の洗浄液３１のみが洗浄布２５に供給されている。すなわち、ブランケット胴２０の外周面２０ａに塗布される洗浄液３１の量が最適化されている。このため、エアブロワー２２における乾燥の際、ブランケット胴２０の外周面２０ａ上に多量の洗浄液３１が付着していることはなく、このことにより、エアブロワー２２により、外周面２０ａ上の洗浄液３１を確実に乾燥させることができる。従って、その後の印刷において、被印刷物９上にインキ４を均一な厚さで印刷することができる。
【００７９】
このように本実施の形態によれば、上述のように、洗浄装置１０による洗浄が休止されている間であっても、洗浄液供給機構３０の内部において洗浄液３１が常に循環されている。このため、洗浄装置１０による洗浄を再開する際、洗浄液供給機構３０が吐出ヘッド１６に対して即座に洗浄液３１を供給することができ、このことにより、洗浄の再開直後から吐出ヘッド１６の吐出口１５が洗浄布２５に向かって洗浄液３１を吐出することができる。これによって、洗浄液３１が塗布されていない状態でブランケット胴２０の外周面２０ａに対して押し付けられる洗浄布２５の量を低減することができ、このことにより、無駄になる洗浄布２５の量を低減することができる。このように無駄になる洗浄布２５の量を低減することにより、ブランケット胴２０の洗浄に要するコストを下げることができる。
【００８０】
また本実施の形態によれば、洗浄装置１０の洗浄液供給部１４は、巻出ロール１１と押圧部１３との間に設けられ、洗浄液３１を洗浄布２５に向かって吐出する吐出口１５を有している。この吐出口１５は、洗浄布２５に当接した状態で洗浄液３１を吐出するよう構成されている。このため、洗浄液３１を必要な量だけ精度良く洗浄布２５に供給することができ、このことにより、無駄になる洗浄液３１の量を削減することができる。さらに、ブランケット胴２０の外周面２０ａに残留する洗浄液３１の量を低減させる、または残留量をほぼゼロにすることができ、このことにより、その後に当該ブランケット胴２０により転写されるインキ４の厚みにムラが生じるのを防ぐことができる。
【００８１】
また本実施の形態によれば、洗浄液供給部１４の吐出口１５は、吐出ヘッド１６の側面に形成された開口部１６ａに接続されており、また吐出ヘッド１６内には、吐出口１５と同一水平面上に位置する制限部材１６ｂが挿入されている。このため、吐出ヘッド１６の体積および表面積を十分に大きくするとともに、吐出ヘッド１６に貯留される洗浄液３１の体積を小さくすることができる。このことにより、吐出ヘッド１６に洗浄液供給部１４の様々な構成要素を接続する際の自由度を高くすることができ、また、吐出ヘッド１６が振動した際などに吐出口１５から漏れる洗浄液３１の量を低減することができる。
【００８２】
第１の比較の形態
次に、本実施の形態の効果を比較の形態と比較して説明する。はじめに、第１の比較の形態として、洗浄装置による洗浄が休止されている間、洗浄液供給機構の内部において洗浄液３１が循環されない形態を考える。このような形態においては、洗浄装置による洗浄が休止されている間、洗浄液供給機構のポンプ３３ａが停止されている。そして、洗浄装置による洗浄が再開されてはじめて、洗浄液供給機構のポンプ３３ａが駆動される。
一般に、流体を吸い上げるためのポンプを一旦停止させ、その後に駆動を再開させた場合、ポンプにより吸い上げられる流体の流量が所望の流量になるまでに所定の時間を要する。このため、第１の比較の形態においては、洗浄装置による洗浄が再開されてから、洗浄液供給機構により洗浄液３１が吐出ヘッド１６に供給されるまで、所定の時間を要することになる。これによって、洗浄液３１が塗布されていない状態でブランケット胴２０の外周面２０ａに対して押し付けられる洗浄布２５が大量に発生し、従って、大量の洗浄布２５が無駄になってしまうことが考えられる。
【００８３】
これに対して、本実施の形態によれば、洗浄装置１０による洗浄が休止されている間であっても、洗浄液供給機構３０の内部において洗浄液３１が常に循環されている。すなわち、洗浄液供給機構３０のポンプ３３ａが常に駆動されている。このため、洗浄装置１０による洗浄を再開する際、洗浄液供給機構３０が吐出ヘッド１６に対して即座に洗浄液３１を供給することができ、このことにより、洗浄の再開直後から吐出ヘッド１６の吐出口１５が洗浄布２５に向かって洗浄液３１を吐出することができる。これによって、洗浄液３１が塗布されていない状態でブランケット胴２０の外周面２０ａに対して押し付けられる洗浄布２５の量を低減することができ、このことにより、無駄になる洗浄布２５の量を低減することができる。
【００８４】
第２の比較の形態
次に、第２の比較の形態として、巻出ロール１１から巻取ロール１２に向かって洗浄布２５が送られている間だけでなく、洗浄布２５が停止されている間も、洗浄液供給機構により洗浄液３１が吐出ヘッド１６に供給される形態を考える。このような形態においては、洗浄布２５が停止されている間、所要量を超える洗浄液３１が洗浄布２５に対して塗布されることになる。このように洗浄液３１が過剰に塗布された洗浄布２５によりブランケット胴２０が洗浄されると、ブランケット胴２０の外周面２０ａに多量の洗浄液３１が付着し、このため、ブランケット胴２０の外周面２０ａに付着した洗浄液３１が完全に乾かないことが考えられる。この場合、ブランケット胴２０の外周面２０ａに残留している洗浄液３１に起因して、当該ブランケット胴２０を用いてその後に被印刷物９に転写されるインキ４の厚みにムラが生じることが考えられる。
【００８５】
これに対して、本実施の形態によれば、巻出ロール１１から巻取ロール１２に向かっての洗浄布２５の送り出しが再開されてはじめて、洗浄液供給機構３０による洗浄液３１の吐出ヘッド１６への供給が再開される。このため、洗浄液３１を必要な量だけ精度良く洗浄布２５に供給することができ、このことにより、無駄になる洗浄液３１の量を削減することができる。さらに、ブランケット胴２０の外周面２０ａに残留する洗浄液３１の量を低減させる、または残留量をほぼゼロにすることができ、このことにより、その後に当該ブランケット胴２０により被印刷物９に転写されるインキ４の厚みにムラが生じるのを防ぐことができる。
【００８６】
第２の実施の形態
次に図１０および図１１を参照して、本発明の第２の実施の形態について説明する。ここで図１０は、本発明の第２の実施の形態における洗浄装置を示す図であり、図１１は、本発明の第２の実施の形態における洗浄液供給部の洗浄液供給機構を示す図である。
【００８７】
図１０および図１１に示す第２の実施の形態は、洗浄装置１０が、第２洗浄液を洗浄布に供給する第２洗浄液供給部をさらに備えた点が異なるのみであり、他の構成は、図１乃至図９に示す第１の実施の形態と略同一である。図１０および図１１に示す第２の実施の形態において、図１乃至図９に示す第１の実施の形態と同一部分には同一符号を付して詳細な説明は省略する。
【００８８】
洗浄装置
図１０に示すように、洗浄装置１０は、洗浄布２５に第１洗浄液（第１の洗浄液）３１ａを供給する第１洗浄液供給部（第１の洗浄液供給部）１４と、洗浄布２５に第２洗浄液（第２の洗浄液）３１ｂを供給する第２洗浄液供給部（第２の洗浄液供給部）１７と、を有している。このうち第１洗浄液供給部１４は、巻出ロール１１と押圧部１３との間に設けられ、第１洗浄液３１ａを洗浄布２５に向かって吐出する吐出口１５を含む第１吐出ヘッド（第１の吐出ヘッド）１６と、第１吐出ヘッド１６に第１洗浄液３１ａを供給する第１洗浄液供給機構（第１の洗浄液供給機構）３０Ａと、を有している。また第２洗浄液供給部１７は、巻出ロール１１と押圧部１３との間に設けられ、第２洗浄液３１ｂを洗浄布２５に向かって吐出する吐出口１８を含む第２吐出ヘッド（第２の吐出ヘッド）１９と、第２吐出ヘッド１９に第２洗浄液３１ｂを供給する第２洗浄液供給機構（第２の洗浄液供給機構）３０Ｂと、を有している。
【００８９】
本実施の形態による洗浄装置１０においては、第１洗浄液３１ａ、第２洗浄液３１ｂという２種類の洗浄液を用いることにより、洗浄効果がより高められている。例えば、第１洗浄液３１ａとして、一般的な洗浄用の溶剤が用いられ、第２洗浄液３１ｂとして、第１洗浄液３１ａよりも沸点が低い溶剤が用いられる。このように沸点の異なる２種類の洗浄液３１ａ，３１ｂにより洗浄が実施される場合、はじめに、洗浄布２５に第１洗浄液３１ａが供給され、これによって、ブランケット胴２０の外周面２０ａに付着したインキ４の大半が取り除かれる。その後、第２洗浄液３１ｂが洗浄布２５に供給される。ここで、上述のように、第２洗浄液３１ｂの沸点は第１洗浄液３１ａの沸点よりも低くなっている。このため、洗浄布２５を介してブランケット胴２０の外周面２０ａに付着した第２洗浄液３１ｂが蒸発して消散するのに要する時間は、第１洗浄液３１ａが蒸発して消散するのに要する時間よりも短くなっている。従って、後述するように、ブランケット胴２０の外周面２０ａを洗浄布２５により乾拭きするのに要する時間を短くすることができる。これによって、ブランケット胴２０を洗浄および乾拭きするために使用される洗浄布２５の量を低減させることができ、このことにより、洗浄に要するコストを下げることができる。
【００９０】
洗浄液供給機構
次に図１１を参照して、第１吐出ヘッド１６に第１洗浄液３１ａを供給する第１洗浄液供給機構３０Ａ、および、第２吐出ヘッド１９に第２洗浄液３１ｂを供給する第２洗浄液供給機構３０Ｂについて説明する。
【００９１】
図１１に示すように、本実施の形態における第１洗浄液供給機構３０Ａおよび第２洗浄液供給機構３０Ｂにおいては、洗浄液として第１洗浄液３１ａおよび第２洗浄液３１ｂが用いられる。また図１１に示すように、第１洗浄液供給機構３０Ａの洗浄液吐出ライン３５の他端３５ｂは第１吐出ヘッド１６に連結され、第２洗浄液供給機構３０Ｂの洗浄液吐出ライン３５の他端３５ｂは第２吐出ヘッド１９に連結されている。本実施の形態における第１洗浄液供給機構３０Ａおよび第２洗浄液供給機構３０Ｂにおいて、他の構成は、図１乃至図９に示す第１の実施の形態における洗浄液供給機構３０と略同一となっている。本実施の形態における第１洗浄液供給機構３０Ａおよび第２洗浄液供給機構３０Ｂに関して、図１乃至図９に示す第１の実施の形態における洗浄液供給機構３０と同一部分には同一符号が付され、詳細な説明は省略される。
【００９２】
洗浄液
次に、第１洗浄液３１ａおよび第２洗浄液３１ｂについて説明する。本実施の形態においては、後述するように、洗浄時、はじめに、第１洗浄液供給部１４により第１洗浄液３１ａが洗浄布２５に供給される。第１洗浄液３１ａを用いた洗浄によりブランケット胴２０の外周面２０ａに付着したインキ４の大部分が除去されると、洗浄布２５への第１洗浄液３１ａが停止され、その後、第２洗浄液供給部１７により第２洗浄液３１ｂが洗浄布２５に供給される。そして、第２洗浄液３１ｂを用いた洗浄により、ブランケット胴２０の外周面２０ａに付着したインキ４が完全に除去される。その後、ブランケット胴２０の外周面２０ａに残っている第２洗浄液３１ｂが、風の吹き付けや洗浄布２５による乾拭きなどによって取り除かれる。
【００９３】
第２洗浄液３１ｂとしては、第１洗浄液３１ａよりもその沸点が低い洗浄液が用いられる。このように、洗浄の後半に用いる洗浄液として、沸点の低い第２洗浄液３１ｂを採用することにより、ブランケット胴２０の外周面２０ａに残っている洗浄液の除去が容易となる。
【００９４】
第１洗浄液３１ａに用いられる洗浄液としては、ブランケット胴２０の外周面２０ａに付着したインキ４に対する洗浄力の強い洗浄液が選択される。一方、第２洗浄液３１ｂに用いられる洗浄液としては、第１洗浄液３１ａと同系統の洗浄液であって、かつ、第１洗浄液３１ａよりも沸点の低い洗浄液が選択される。
【００９５】
第１洗浄液３１ａおよび第２洗浄液３１ｂの組合せは、ブランケット胴２０の外周面２０ａに付着したインキ４の種類に応じて適宜設定される。
例えば、正孔輸送層または発光層を形成するためのインキ４が用いられる場合、第１洗浄液３１ａおよび第２洗浄液３１ｂとして以下の組み合わせの芳香族溶媒を含む有機溶媒が用いられる。
第１洗浄液３１ａ：トルエン（沸点１１０．６°）
第２洗浄液３１ｂ：テトラヒドロフラン（沸点６６°）
【００９６】
また、正孔注入層を形成するためのインキ４が用いられる場合、第１洗浄液３１ａおよび第２洗浄液３１ｂとして以下のような組み合わせの溶媒が用いられる。
第１洗浄液３１ａ：水（沸点１００°）
第２洗浄液３１ｂ：アセトン（沸点５６°）
または、
第１洗浄液３１ａ：水（沸点１００°）
第２洗浄液３１ｂ：イソプロピルアルコール（沸点８２°）
【００９７】
次に、このような構成からなる本実施の形態の作用について説明する。ここでは、ブランケット胴２０の外周面２０ａに付着したインキ４を洗浄装置１０により洗浄する方法について説明する。なお図１乃至図９に示す第１の実施の形態の場合と同様に、洗浄装置１０による洗浄が休止されている場合であっても、第１洗浄液供給機構３０Ａおよび第２洗浄液供給機構３０Ｂの内部において、第１洗浄液３１ａおよび第２洗浄液３１ｂが各々循環されている。
【００９８】
胴の洗浄方法
まず、外周面２０ａにインキ４が付着したブランケット胴２０を、洗浄装置１０の下方まで移動させる。次に、洗浄装置１０を下方に移動させる。その後、巻出ロール１１から巻取ロール１２へ向けて帯状の洗浄布２５を送り出す。同時に、第１洗浄液供給部１４から洗浄布２５への第１洗浄液３１ａの供給を開始する。第１洗浄液供給部１４から洗浄布２５への第１洗浄液３１ａの供給を開始する具体的な方法は、洗浄液供給部１４から洗浄布２５への洗浄液３１の供給を開始する方法と略同一であるので、詳細な説明は省略する（上述の第１の実施の形態を参照）。
【００９９】
第１洗浄液供給部１４からの第１洗浄液３１ａを受理した洗浄布２５は、その後、押圧部１３に送られる。押圧部１３においては、駆動部１３ｃによりエアシリンダ１３ｂを駆動することにより、第１洗浄液３１ａが滲みこんだ洗浄布２５がブランケット胴２０の外周面２０ａに押し付けられる。これによって、ブランケット胴２０の外周面２０ａに付着したインキ４が洗浄される。
【０１００】
その後、洗浄制御部５０からの信号に基づいて、第１洗浄液供給部１４から洗浄布２５への第１洗浄液３１ａの供給が休止され、同時に、第２洗浄液供給部１７から洗浄布２５への第２洗浄液３１ｂの供給が開始される。
具体的には、洗浄制御部５０からの信号に基づいて、第１洗浄液供給機構３０Ａの流路制御部３７により、ｌｏｗレベルの電気信号が第１洗浄液供給機構３０Ａの流路切換機構３４に送られる。これによって、第１洗浄液供給機構３０Ａの流路切換機構３４において、入口部３４ａと吐出側出口部３４ｂとの間が遮断され、同時に、入口部３４ａとタンク側出口部３４ｃとの間が連通される。これによって、第１洗浄液供給機構３０Ａから第１吐出ヘッド１６への第１洗浄液３１ａの供給が休止され、また、第１洗浄液供給機構３０Ａの内部における第１洗浄液３１ａの循環が開始される。
また、洗浄制御部５０からの信号に基づいて、第２洗浄液供給機構３０Ｂの流路制御部３７により、ｈｉｇｈレベルの電気信号が第２洗浄液供給機構３０Ｂの流路切換機構３４に送られる。これによって、第２洗浄液供給機構３０Ｂの流路切換機構３４において、入口部３４ａとタンク側出口部３４ｃとの間が遮断され、同時に、入口部３４ａと吐出側出口部３４ｂとの間が連通される。これによって、第２洗浄液供給機構３０Ｂの内部における第２洗浄液３１ｂの循環が休止され、また、第２洗浄液供給機構３０Ｂから第２吐出ヘッド１９への第２洗浄液３１ｂの供給が開始される。
【０１０１】
第２洗浄液供給部１７からの第２洗浄液３１ｂを受理した洗浄布２５は、その後、押圧部１３に送られる。押圧部１３においては、駆動部１３ｃによりエアシリンダ１３ｂを駆動することにより、第２洗浄液３１ｂが滲みこんだ洗浄布２５がブランケット胴２０の外周面２０ａに押し付けられる。これによって、ブランケット胴２０の外周面２０ａに残留しているインキ４が完全に洗浄される。また、ブランケット胴２０の外周面２０ａに、沸点の低い第２洗浄液３１ｂが付着する。
【０１０２】
ブランケット胴２０の外周面２０ａ上のインキ４が完全に除去されると、第２洗浄液供給部１７から洗浄布２５への第２洗浄液３１ｂの供給が休止される。その後、ブランケット胴２０の外周面２０ａに、エアブロワー２２からの風が吹き付けられる。また、ブランケット胴２０の外周面２０ａが、洗浄液が塗布されていない洗浄布２５により乾拭きされる。これによって、ブランケット胴２０の外周面２０ａに付着した第２洗浄液３１ｂが取り除かれる。
【０１０３】
このように本実施の形態によれば、第１洗浄液３１ａ、第２洗浄液３１ｂという２種類の洗浄液が用いられる。このように２種類の洗浄液を用いることにより、洗浄装置１０の洗浄効果をより高くすることができる。例えば、はじめに一般的な洗浄用の溶剤からなる第１洗浄液３１ａを用いて洗浄を実施し、その後に、第１洗浄液３１ａよりも沸点が低い第２洗浄液３１ｂを用いて洗浄を実施することにより、ブランケット胴２０の外周面２０ａに付着した洗浄液を容易に取り除くことができる。このため、ブランケット胴２０の外周面２０ａを洗浄布２５により乾拭きするのに要する時間を短くすることができる。これによって、ブランケット胴２０を洗浄および乾拭きするために使用される洗浄布２５の量を低減させることができ、このことにより、洗浄に要するコストを下げることができる。
【０１０４】
また本実施の形態によれば、第１の実施の形態における洗浄液供給機構３０と同様に、洗浄装置１０による洗浄が休止されている間であっても、洗浄液供給機構３０Ａ，３０Ｂの内部において洗浄液３１ａ，３１ｂが常に循環されている。このため、洗浄装置１０による洗浄を再開する際、第１洗浄液供給機構３０Ａが第１吐出ヘッド１６に対して即座に第１洗浄液３１ａを供給することができる。また、使用する洗浄液を第１洗浄液３１ａから第２洗浄液３１ｂに切り替える際、第２洗浄液供給機構３０Ｂが第２吐出ヘッド１９に対して即座に第２洗浄液３１ｂを供給することができる。これによって、洗浄液が塗布されていない状態でブランケット胴２０の外周面２０ａに対して押し付けられる洗浄布２５の量を低減することができ、このことにより、無駄になる洗浄布２５の量を低減することができる。このように無駄になる洗浄布２５の量を低減することにより、ブランケット胴２０の洗浄に要するコストを下げることができる。
【０１０５】
なお本実施の形態において、洗浄布２５への第１洗浄液３１ａの供給が休止された後、洗浄液２５への第２洗浄液３１ｂの供給が開始される例を示した。しかしながら、これに限られることはなく、洗浄布２５に対して第１洗浄液３１ａおよび第２洗浄液３１ｂが共に供給される期間が存在していてもよい。
【０１０６】
第３の実施の形態
次に図１２を参照して、本発明の第３の実施の形態について説明する。ここで図１２は、本発明の第３の実施の形態における洗浄液供給部の洗浄液供給機構を示す図である。
【０１０７】
図１２に示す第３の実施の形態は、洗浄装置１０の洗浄液供給部１４が、第２洗浄液を吐出ヘッドに供給する第２洗浄液供給機構をさらに有する点が異なるのみであり、他の構成は、図１乃至図９に示す第１の実施の形態と略同一である。図１２に示す第３の実施の形態において、図１乃至図９に示す第１の実施の形態と同一部分には同一符号を付して詳細な説明は省略する。
【０１０８】
洗浄液供給機構
図１２に示すように、洗浄液供給部１４は、吐出ヘッド１６に第１洗浄液（第１の洗浄液）３１ａを供給する第１洗浄液供給機構（第１の洗浄液供給機構）３０Ａと、吐出ヘッド１６に第２洗浄液（第２の洗浄液）３１ｂを供給する第２洗浄液供給機構（第２の洗浄液供給機構）３０Ｂと、を有している。このため本実施の形態によれば、吐出ヘッド１６から洗浄布２５に対して、第１洗浄液３１ａ、第２洗浄液３１ｂという２種類の洗浄液を供給することができる。このように２種類の洗浄液を用いてブランケット胴２０の外周面２０ａを洗浄することにより、図１０および図１１に示す第２の実施の形態の場合と同様に、洗浄効果をより高めることができる。
【０１０９】
上述のように、本実施の形態における第１洗浄液供給機構３０Ａおよび第２洗浄液供給機構３０Ｂにおいては、洗浄液として第１洗浄液３１ａおよび第２洗浄液３１ｂが用いられる。また図１２に示すように、第１洗浄液供給機構３０Ａの洗浄液吐出ライン３５の他端３５ｂは吐出ヘッド１６に連結され、第２洗浄液供給機構３０Ｂの洗浄液吐出ライン３５の他端３５ｂも吐出ヘッド１６に連結されている。本実施の形態における第１洗浄液供給機構３０Ａおよび第２洗浄液供給機構３０Ｂにおいて、他の構成は、図１乃至図９に示す第１の実施の形態における洗浄液供給機構３０、または図１０および図１１に示す第２の実施の形態における洗浄液供給機構３０Ａ，３０Ｂと略同一となっている。本実施の形態における第１洗浄液供給機構３０Ａおよび第２洗浄液供給機構３０Ｂに関して、図１乃至図９に示す第１の実施の形態における洗浄液供給機構３０、または図１０および図１１に示す第２の実施の形態における洗浄液供給機構３０Ａ，３０Ｂと同一部分には同一符号が付され、詳細な説明は省略される。
【０１１０】
次に、このような構成からなる本実施の形態の作用について説明する。ここでは、ブランケット胴２０の外周面２０ａに付着したインキ４を洗浄装置１０により洗浄する方法について説明する。なお図１０および図１１に示す第２の実施の形態の場合と同様に、洗浄装置１０による洗浄が休止されている場合であっても、第１洗浄液供給機構３０Ａおよび第２洗浄液供給機構３０Ｂの内部において、第１洗浄液３１ａおよび第２洗浄液３１ｂが各々循環されている。
【０１１１】
胴の洗浄方法
まず、外周面２０ａにインキ４が付着したブランケット胴２０を、洗浄装置１０の下方まで移動させる。次に、洗浄装置１０を下方に移動させる。その後、巻出ロール１１から巻取ロール１２へ向けて帯状の洗浄布２５を送り出す。同時に、第１洗浄液供給機構３０Ａから吐出ヘッド１６への第１洗浄液３１ａの供給を開始し、これによって、洗浄液供給部１４から洗浄布２５への第１洗浄液３１ａの供給を開始する。第１洗浄液供給機構３０Ａから吐出ヘッド１６への第１洗浄液３１ａの供給を開始する具体的な方法は、洗浄液供給機構３０から吐出ヘッド１６への洗浄液３１の供給を開始する方法と略同一であるので、詳細な説明は省略する（上述の第１の実施の形態を参照）。
【０１１２】
洗浄液供給部１４からの第１洗浄液３１ａを受理した洗浄布２５は、その後、押圧部１３に送られる。押圧部１３においては、駆動部１３ｃによりエアシリンダ１３ｂを駆動することにより、第１洗浄液３１ａが滲みこんだ洗浄布２５がブランケット胴２０の外周面２０ａに押し付けられる。これによって、ブランケット胴２０の外周面２０ａに付着したインキ４が洗浄される。
【０１１３】
その後、洗浄制御部５０からの信号に基づいて、第１洗浄液供給機構３０Ａから吐出ヘッド１６への第１洗浄液３１ａの供給が休止され、同時に、第２洗浄液供給機構３０Ｂから吐出ヘッド１６への第２洗浄液３１ｂの供給が開始される。
具体的には、洗浄制御部５０からの信号に基づいて、第１洗浄液供給機構３０Ａの流路制御部３７により、ｌｏｗレベルの電気信号が第１洗浄液供給機構３０Ａの流路切換機構３４に送られる。これによって、第１洗浄液供給機構３０Ａの流路切換機構３４において、入口部３４ａと吐出側出口部３４ｂとの間が遮断され、同時に、入口部３４ａとタンク側出口部３４ｃとの間が連通される。これによって、第１洗浄液供給機構３０Ａから吐出ヘッド１６への第１洗浄液３１ａの供給が休止され、また、第１洗浄液供給機構３０Ａの内部における第１洗浄液３１ａの循環が開始される。
また、洗浄制御部５０からの信号に基づいて、第２洗浄液供給機構３０Ｂの流路制御部３７により、ｈｉｇｈレベルの電気信号が第２洗浄液供給機構３０Ｂの流路切換機構３４に送られる。これによって、第２洗浄液供給機構３０Ｂの流路切換機構３４において、入口部３４ａとタンク側出口部３４ｃとの間が遮断され、同時に、入口部３４ａと吐出側出口部３４ｂとの間が連通される。これによって、第２洗浄液供給機構３０Ｂの内部における第２洗浄液３１ｂの循環が休止され、また、第２洗浄液供給機構３０Ｂから吐出ヘッド１６への第２洗浄液３１ｂの供給が開始される。
このようにして、吐出ヘッド１６に第２洗浄液３１ｂが供給され、これによって、吐出ヘッド１６から洗浄布２５に第２洗浄液３１ｂが供給される。
【０１１４】
洗浄液供給部１４からの第２洗浄液３１ｂを受理した洗浄布２５は、その後、押圧部１３に送られる。押圧部１３においては、駆動部１３ｃによりエアシリンダ１３ｂを駆動することにより、第２洗浄液３１ｂが滲みこんだ洗浄布２５がブランケット胴２０の外周面２０ａに押し付けられる。これによって、ブランケット胴２０の外周面２０ａに残留しているインキ４が完全に洗浄される。また、ブランケット胴２０の外周面２０ａに、沸点の低い第２洗浄液３１ｂが付着する。
【０１１５】
ブランケット胴２０の外周面２０ａ上のインキ４が完全に除去されると、第２洗浄液供給機構３０Ｂから吐出ヘッド１６への第２洗浄液３１ｂの供給が休止される。その後、ブランケット胴２０の外周面２０ａに、エアブロワー２２からの風が吹き付けられる。また、ブランケット胴２０の外周面２０ａが、洗浄液が塗布されていない洗浄布２５により乾拭きされる。これによって、ブランケット胴２０の外周面２０ａに付着した第２洗浄液３１ｂが取り除かれる。
【０１１６】
このように本実施の形態によれば、第１洗浄液３１ａ、第２洗浄液３１ｂという２種類の洗浄液が用いられる。このように２種類の洗浄液を用いることにより、洗浄装置１０の洗浄効果をより高くすることができる。例えば、はじめに一般的な洗浄用の溶剤からなる第１洗浄液３１ａを用いて洗浄を実施し、その後に、第１洗浄液３１ａよりも沸点が低い第２洗浄液３１ｂを用いて洗浄を実施することにより、ブランケット胴２０の外周面２０ａに付着した洗浄液を容易に取り除くことができる。このため、ブランケット胴２０の外周面２０ａを洗浄布２５により乾拭きするのに要する時間を短くすることができる。これによって、ブランケット胴２０を洗浄および乾拭きするために使用される洗浄布２５の量を低減させることができ、このことにより、洗浄に要するコストを下げることができる。
【０１１７】
また本実施の形態によれば、第１の実施の形態における洗浄液供給機構３０と同様に、洗浄装置１０による洗浄が休止されている間であっても、洗浄液供給機構３０Ａ，３０Ｂの内部において洗浄液３１ａ，３１ｂが常に循環されている。このため、洗浄装置１０による洗浄を再開する際、第１洗浄液供給機構３０Ａが吐出ヘッド１６に対して即座に第１洗浄液３１ａを供給することができる。また、使用する洗浄液を第１洗浄液３１ａから第２洗浄液３１ｂに切り替える際、第２洗浄液供給機構３０Ｂが吐出ヘッド１６に対して即座に第２洗浄液３１ｂを供給することができる。これによって、洗浄液が塗布されていない状態でブランケット胴２０の外周面２０ａに対して押し付けられる洗浄布２５の量を低減することができ、このことにより、無駄になる洗浄布２５の量を低減することができる。このように無駄になる洗浄布２５の量を低減することにより、ブランケット胴２０の洗浄に要するコストを下げることができる。
【０１１８】
変形例
なお本実施の形態において、第１洗浄液供給機構３０Ａの洗浄液吐出ライン３５および第２洗浄液供給機構３０Ｂの洗浄液吐出ライン３５が共に直接に吐出ヘッド１６に連結されている例を示した。しかしながら、これに限られることはなく、図１３に示すように、第１洗浄液供給機構３０Ａの洗浄液吐出ライン３５および第２洗浄液供給機構３０Ｂの洗浄液吐出ライン３５と、吐出ヘッド１６との間に、第１洗浄液供給機構３０Ａからの第１洗浄液３１ａまたは第２洗浄液供給機構３０Ｂからの第２洗浄液３１ｂのいずれか一方を選択的に吐出ヘッド１６に送る洗浄液切換機構５５が設けられていてもよい。
【０１１９】
図１３に示すように、洗浄液切換機構５５は、第１洗浄液供給機構３０Ａからの第１洗浄液３１ａが入力される第１洗浄液入口部５５ａと、第２洗浄液供給機構３０Ｂからの第２洗浄液３１ｂが入力される第２洗浄液入口部５５ｂと、吐出ライン５７を介して吐出ヘッド１６に第１洗浄液３１ａまたは第２洗浄液３１ｂのいずれか一方を選択的に送り出す出口部５５ｃと、を含んでいる。吐出ライン５７には、吐出ライン５７を通る洗浄液の流量を計測する流量計５８と、吐出ライン５７から吐出ヘッド１６への洗浄液の流れを遮蔽することができる遮蔽弁５９と、が設けられている。また洗浄液切換機構５５には、図１３に示すように、洗浄液切換機構５５から吐出ヘッド１６に送られる洗浄液を切り換える洗浄液切換制御部５６が設けられている。この洗浄液切換制御部５６は、洗浄制御部５０からの信号に基づいて、第１洗浄液３１ａまたは第２洗浄液３１ｂのいずれか一方が洗浄液切換機構５５から吐出ヘッド１６に送られるよう、洗浄液切換機構５５を制御する。このような洗浄液切換機構５５を設けることにより、第１洗浄液３１ａと第２洗浄液３１ｂとが混ざるのを抑制することができる。
【０１２０】
このような洗浄液切換機構５５の具体的な構成が特に限られることはなく、流路を切り換えるための様々な手段が用いられる。例えば図１３に示すように、洗浄液切換機構５５が、常時閉電磁弁５５ｄと常時開電磁弁５５ｅとから構成されていてもよい。常時閉電磁弁５５ｄおよび常時開電磁弁５５ｅは、上述の流路切換機構３４における時閉電磁弁３４ｄおよび常時開電磁弁３５ｅと略同一であるので、詳細な説明は省略する。
【０１２１】
その他の変形例
なお上記第２および第３の実施の形態において、第１洗浄液３１ａ、第２洗浄液３１ｂという２種類の洗浄液が用いられる例を示した。しかしながら、これに限られることはなく、３種類または４種類以上の洗浄液が用いられてもよい。
【０１２２】
また上記各実施の形態において、印刷機１により被印刷物９上に有機層が形成される例を示した。しかしながら、これに限られることはなく、印刷機１により様々な層を被印刷物９上に形成することができる。この場合、被印刷物９上に形成される層に応じて、用いられるインキ４が適宜選択される。また、用いられるインキ４に応じて、洗浄装置１０で使用される洗浄液が適宜選択される。
【０１２３】
また本実施の形態において、洗浄装置１０によりブランケット胴２０が洗浄される例を示した。しかしながら、洗浄装置１０の洗浄対象がブランケット胴２０に限られることはなく、圧胴、フレキソ版胴を含む版胴など、印刷装置において用いられる様々な胴を洗浄装置１０により洗浄することができる。これらの胴が、平台の枚葉印刷機において用いられる胴に限られることはなく、様々な方式の印刷機で用いられる胴が洗浄装置１０により洗浄され得る。また、洗浄対象となる胴に応じて、洗浄装置１０において用いられる洗浄布２５の種類などが適宜選択される。
【０１２４】
また本実施の形態において、印刷機が、その上面に複数のセルを有するグラビア版（インキ版）と、グラビア版のセルからインクを受理するブランケット胴（転写用胴）と、を備えたグラビア印刷用の印刷機からなる例を示した。しかしながら、印刷機の方式がグラビア印刷に限られることはなく、周知の様々な印刷方式が利用されえる。例えば、印刷機が、その上面に複数のセルを有するアニロックス版（インキ版）と、グラビア版のセルからインクを受理するフレキソ版を有する版胴（転写用胴）と、を備えたフレキソ印刷用の印刷機からなっていてもよい。
【０１２５】
また本実施の形態において、印刷機が、その上面に複数のセルを有する平板状のインキ版（グラビア版、アニロックス版など）を備えた印刷機からなる例を示した。しかしながら、これに限られることはなく、印刷機が、その外周面に複数のセルを有するロール状のインキ版を備えた印刷機からなっていてもよい。この場合、被印刷物の供給方式が枚葉に限られることはなく、連続したシート状の被印刷物が供給されてもよい。
【０１２６】
また本実施の形態において、洗浄液供給部の吐出口が、巻出ロール１１から巻取ロール１２に向かって送られる洗浄布２５に常に当接するよう配置されている例を示した。
しかしながら、これに限られることはなく、洗浄布に対して洗浄液を吐出する際にのみ吐出口が洗浄布２５に当接していてもよい。例えば、吐出口が移動自在または伸縮自在となるよう洗浄液供給部を構成し、これによって、洗浄装置１０の動作中のみ吐出口が洗浄布２５に当接するようにしてもよい。
若しくは、洗浄液供給部の吐出口が、洗浄布２５から常に離されていてもよい。この場合、洗浄液が、吐出口からの噴射などにより洗浄布２５に供給されてもよい。この場合、噴射された場合であっても引火することのない溶剤が洗浄液として用いられる。
【０１２７】
また本実施の形態において、吐出ヘッド内に制限部材が挿入されている例を示した。この場合、制限部材の体積が固定となっている必要はなく、制限部材の体積が状況に応じて変化可能となっていてもよい。例えば、洗浄が停止されている場合における制限部材の体積が、洗浄中における制限部材の体積よりも大きくなるよう、制限部材を構成してもよい。このことにより、吐出口からの洗浄液の漏れ量または吐出量を、状況に応じて最適に制限することができる。
【符号の説明】
【０１２８】
１      印刷機
２      グラビア版
３      セル
４      インキ
５      フレーム
６      定盤
７      インキ供給部
８      ドクターシステム
８ａ    第１ドクター
８ｂ    第２ドクター
８ｃ    ドクター駆動部
９      被印刷物
１０    洗浄装置
１１    巻出ロール
１２    巻取ロール
１３    押圧部
１３ａ  押圧ヘッド
１３ｂ  エアシリンダ
１３ｃ  駆動部
１４    （第１）洗浄液供給部
１５    吐出口
１６    （第１）吐出ヘッド
１６ａ  開口部
１６ｂ  制限部材
１７    第２洗浄液供給部
１８    吐出口
１９    第２吐出ヘッド
２０    ブランケット胴
２０ａ  外周面
２２    エアブロワー
２５    洗浄布
２５ａ  表面
２５ｂ  裏面
２６    繊維
２６ａ  単位繊維
３０    洗浄液供給機構
３１    洗浄液
３１ａ  第１洗浄液
３１ｂ  第２洗浄液
３２    洗浄液タンク
３３    洗浄液取出ライン
３３ａ  ポンプ
３３ｂ  フィルター
３４    流路切換機構
３４ａ  入口部
３４ｂ  吐出側出口部
３４ｃ  タンク側出口部
３４ｄ  常時閉電磁弁
３４ｅ  常時開電磁弁
３５    洗浄液吐出ライン
３５ａ  一端
３５ｂ  他端
３６    洗浄液戻りライン
３６ａ  一端
３６ｂ  他端
３７    流路制御部
３８    流量計
３９    遮蔽弁
５０    洗浄制御部
５５    洗浄液切換機構
５５ａ  出口部
５５ｂ  第１洗浄液入口部
５５ｃ  第２洗浄液入口部
５５ｄ  常時開電磁弁
５５ｅ  常時閉電磁弁
５６    洗浄液切換制御部
５７    吐出ライン
【図１】
2012020447.tif 000003
【図２】
2012020447.tif 000004
【図３】
2012020447.tif 000005
【図４】
2012020447.tif 000006
【図５】
2012020447.tif 000007
【図６】
2012020447.tif 000008
【図７】
2012020447.tif 000009
【図８】
2012020447.tif 000010
【図１０】
2012020447.tif 000011
【図１１】
2012020447.tif 000012
【図１２】
2012020447.tif 000013
【図１３】
2012020447.tif 000014
【図９】
2012020447.tif 000015